(57)【要約】【課題】断層画像の画面表示の制御を行うパラメータを調整するためのダイヤルの操作性を向上させることで、医師や技師などの煩わしさやストレスを解消することのできるＸ線ＣＴ装置を提供する。【解決手段】ダイヤル６３の操作面であって、その回転軸から外れた位置には、当該ダイヤル６３を回転操作する際に指を当てるための凹部が形成された凹部材６３ａと、この凹部材６３ａを支持するベアリング６３ｂと、このベアリング６３ｂをキーボード６本体に対して回転可能に支持する軸受け６３ｃとを設ける。このような構成により、医師や技師などが凹部材６３ａの凹部に指先を当てて当該ダイヤル６３を回転させた場合には、凹部材６３ａが回転することで、指と凹部材６３ａとの間に生じる滑りが吸収されて、ダイヤル６３を回転させているうちに指先が凹部材６３からズレてしまうといったことが回避される。【選択図】      図６
2005013576.tif 000002
【特許請求の範囲】
【請求項１】
被検体の回りを回転しながら前記被検体に向けてＸ線を曝射するＸ線曝射手段及び前記Ｘ線曝射手段から曝射されたＸ線を検出するＸ線検出手段と、前記Ｘ線検出手段により検出されたＸ線量に基づき断層画像を再構成する画像再構成手段と、前記画像再構成手段により再構成された断層画像を所定のパラメータに従って画面表示する表示手段と、前記所定のパラメータを変更するためのパラメータ変更手段と、前記パラメータ変更手段により変更されたパラメータに基づき前記表示手段における前記断層画像の画面表示の制御を行う表示制御手段と、を具備するＸ線ＣＴ装置において、
前記パラメータ変更手段は、回転操作を行うことにより前記所定のパラメータを変更するためのダイヤルを含み、前記ダイヤルの操作面には、当該ダイヤルの回転軸から外れた位置に操作者の指先を当てるための回転自在な凹部が設けられていることを特徴とするＸ線ＣＴ装置。
【請求項２】
前記パラメータ変更手段は、前記ダイヤルの回転加速度を検出する回転加速度検出手段を有し、前記表示制御手段は、前記回転加速度検出手段により検出された回転加速度の大きさに応じて、前記パラメータの変更量を調整する制御を行うことを特徴とする請求項１記載のＸ線ＣＴ装置。
【請求項３】
前記パラメータ変更手段は、前記ダイヤルの回転移動量を検出する回転移動量検出手段を有し、前記表示制御手段は、前記回転加速度検出手段により検出された回転加速度の大きさが所定値未満である場合には、前記回転移動量検出手段により検出された回転移動量の大きさに応じて前記パラメータの変更量を調整する制御を行い、前記回転加速度検出手段により検出された回転加速度の大きさが前記所定値以上である場合には、その回転加速度の大きさに応じて前記パラメータの変更量を調整する制御を行うことを特徴とする請求項２記載のＸ線ＣＴ装置。
【請求項４】
前記パラメータの変更は、前記表示手段において画面表示される前記断層画像のコントラスト調整を行うためのものであって、
前記パラメータは、前記コントラスト調整の対象となる前記断層画像の濃度値の幅及びその中心値を規定するための値であることを特徴とする請求項１乃至請求項３の何れか一項に記載のＸ線ＣＴ装置。
【発明の詳細な説明】
【０００１】
【発明の属する技術分野】
本発明は、Ｘ線ＣＴ装置に関し、特に、断層画像の画面表示の制御を行うためのパラメータを変更する際に使用されるダイヤルの構造、及び、その変更量の制御に関するものである。
【０００２】
【従来の技術】
一般に、Ｘ線ＣＴ装置においては、被検体の断層画像をＣＲＴディスプレイなどのモニタに表示する際に、そのコントラスト調整を行うべく、断層画像の濃度ヒストグラムにおけるウィンドウ・ウィドゥス（以下、ＷＷと称する）値と、ウィンドウ・レベル（以下、ＷＬと称する）値とを設定することが行われている（例えば、特許文献１参照）。
【０００３】
この濃度ヒストグラムは、断層画像を構成する画素毎に、その濃度値を抽出して、その個数をカウントすることで作成されるものであって、図９に示すように、各濃度値の分布状態を表すものとなっている。通常、Ｘ線ＣＴ装置により生成される断層画像の表示階調は、ＣＴ値（水のＸ線の吸収係数を基準とした相対値で、水のＣＴ値は０である）に応じた階調、具体的には、３５８４階調となっており、一方、ＣＲＴディスプレイなどのモニタにおける表示階調は、２５６階調となっていることから、これに対応して、当該濃度ヒストグラムの横軸を構成する濃度値の幅は、最小値から最大値にかけて２５６個の領域に分割されている。即ち、ＣＴ値に応じた３５８４階調の複数を束にすることで、これをモニタにおける２５６階調にする処理が行われている。
【０００４】
ここで、上述したＷＷ値は、断層画像のコントラスト調整を行う際に、その対象となる範囲をこの濃度ヒストグラムの濃度値の幅により規定するためのパラメータのことを指し、上述したＷＬ値は、このＷＷ値によって規定される濃度ヒストグラムの濃度値の幅の中心値を示すパラメータのことを指している。
【０００５】
ところで、断層画像のコントラスト調整は、読影したい部位（例えば、病巣部位）と、その周囲の部位との明暗差を強調する方向で行われ、例えば、図９に示した濃度ヒストグラムの領域Ａを、その対象とする場合、ＷＷ値によりこの領域Ａを設定して、ＷＬ値をその中心値に設定することで、この領域Ａの部分の濃度値がモニタにおける２５６階調に分割されて、領域Ａ内の濃度差がより明確に差別化されて、その明暗差が強調されることとなる。
【０００６】
当然、このようなコントラスト調整を行う以前の断層画像は、読影したい部分と、その周囲の部位との明暗差が強調されたものにはなっていないことから、このようなＷＷ値、ＷＬ値の設定は、医師や技師などが読影を行うのに適したコントラスト画像を得る上で、必須の作業となっている。
【０００７】
ところで、このようなＷＷ値、ＷＬ値の設定は、医師や技師などが、モニタに表示される断層画像のコントラスト変化を確認しながらダイヤルを回転操作して、それらの値を変更することで行われている。この際、医師や技師などは、まず、ダイヤルの側面に指を当てて、これを大きく回転させることで大まかな調整を行った後、ダイヤルの操作面に形成された凹みに指先を当てて、これを細かく回転させることで微調整を行う。
【０００８】
尚、このようなダイヤルの回転操作によるＷＬ値、ＷＷ値の変更内容は、コンソールに内蔵される表示制御部において処理され、モニタに表示される断層画像に反映される。
【０００９】
【特許文献１】
特開平５−６１９７３号公報
（段落〔００１１〕‐〔００４３〕、第１図乃至第１０図）
【００１０】
【発明が解決しようとする課題】
ところで、上述したように、断層画像の表示階調は、ＣＴ値に応じた非常に細かなものとなっており、これに伴い、ＷＷ値、ＷＬ値の変更幅は、非常に広範なものとなっている。例えば、ＷＬ値を変更する場合には、全ての変更幅を移動するのにダイヤルを約４０回転させる必要がある。
【００１１】
しかしながら、このように何回もダイヤルを回転させることは、医師や技師などにとって、非常に煩わしいものであると共に、これをダイヤルの凹みに指先を当てて行おうとした場合には、指先が凹みからズレてしまい、ストレスを感じることになる。
【００１２】
特に、断層画像の枚数は、複数枚に及ぶことが通常であることから、医師や技師などにとって、このような問題は非常に顕著なものになる。
【００１３】
本発明は、上記問題を鑑みてなされたものであり、その目的とするところは、断層画像の画面表示の制御を行うためのパラメータを変更する際に使用されるダイヤルの操作性を向上させることで、医師や技師などの煩わしさやストレスを解消することのできるＸ線ＣＴ装置を提供することにある。
【００１４】
さらに、ダイヤルの移動量に応じた調整を行うことができ、断層画像の画面表示の制御を行うパラメータの微調整を行うことができると共に、ダイヤルの加速度に応じて、少量の移動量を伴う回転操作によっても大きな幅をもった変更を行うことができ、断層画像の画面表示の制御を行うパラメータの大まかな調整を容易に行うことができるＸ線ＣＴ装置を提供することにある。
【００１５】
さらに、断層画像の画面表示の制御を行うパラメータとして、断層画像のコントラスト調整を行う際に設定する当該断層画像の濃度値の幅及びその中心値を規定するための値を変更することができるＸ線ＣＴ装置を提供することにある。
【００１６】
【課題を解決するための手段】
上記課題を解決するために、請求項１記載の発明は、被検体の回りを回転しながら前記被検体に向けてＸ線を曝射するＸ線曝射手段及び前記Ｘ線曝射手段から曝射されたＸ線を検出するＸ線検出手段と、前記Ｘ線検出手段により検出されたＸ線量に基づき断層画像を再構成する画像再構成手段と、前記画像再構成手段により再構成された断層画像を所定のパラメータに従って画面表示する表示手段と、前記所定のパラメータを変更するためのパラメータ変更手段と、前記パラメータ変更手段により変更されたパラメータに基づき前記表示手段における前記断層画像の画面表示の制御を行う表示制御手段と、を具備するＸ線ＣＴ装置において、前記パラメータ変更手段は、回転操作を行うことにより前記所定のパラメータを変更するためのダイヤルを含み、前記ダイヤルの操作面には、当該ダイヤルの回転軸から外れた位置に操作者の指先を当てるための回転自在な凹部が設けられていることを特徴とする。
【００１７】
また、請求項２記載の発明は、請求項１記載のＸ線ＣＴ装置であって、前記パラメータ変更手段は、前記ダイヤルの回転加速度を検出する回転加速度検出手段を有し、前記表示制御手段は、前記回転加速度検出手段により検出された回転加速度の大きさに応じて、前記パラメータの変更量を調整する制御を行うことを特徴とする。
【００１８】
また、請求項３記載の発明は、請求項２記載のＸ線ＣＴ装置であって、前記パラメータ変更手段は、前記ダイヤルの回転移動量を検出する回転移動量検出手段を有し、前記表示制御手段は、前記回転加速度検出手段により検出された回転加速度の大きさが所定値未満である場合には、前記回転移動量検出手段により検出された回転移動量の大きさに応じて前記パラメータの変更量を調整する制御を行い、前記回転加速度検出手段により検出された回転加速度の大きさが前記所定値以上である場合には、その回転加速度の大きさに応じて前記パラメータの変更量を調整する制御を行うことを特徴とする。
【００１９】
また、請求項４記載の発明は、請求項１乃至請求項３の何れか一項に記載のＸ線ＣＴ装置であって、前記パラメータの変更は、前記表示手段において画面表示される前記断層画像のコントラスト調整を行うためのものであって、前記パラメータは、前記コントラスト調整の対象となる前記断層画像の濃度値の幅及びその中心値を規定するための値であることを特徴とする。
【００２０】
【発明の実施の形態】
以下、本発明に係るＸ線ＣＴ装置の好適な一実施形態について、図面を参照しながら具体的に説明する。
【００２１】
〔Ｘ線ＣＴ装置の全体構成〕
（機械構成）
図１に、本実施形態におけるＸ線ＣＴ装置の全体構成を示す。図１に示すように、当該Ｘ線ＣＴ装置は、患者である被検体を載置するための天板１１と、この天板１１を上下方向及び前後方向（図における矢印方向）に駆動させる天板駆動部１２と、を有する寝台１と、天板１１に載置される被検体に向かってＸ線を曝射する図示省略のＸ線管球及びこのＸ線管球から曝射され被検体を透過したＸ線を検出する図示省略のＸ線検出器と、これらＸ線管球及びＸ線検出器を被検体の周りに回転させるＸ線駆動部２３と、天板駆動部１２及びＸ線駆動部２３を制御するための架台／寝台制御部２４と、を有する架台２と、寝台１及び架台２を操作するための操作卓３と、Ｘ線管球及びＸ線検出器により撮像された断層画像の画面表示を制御する表示制御部４１を備えたコンソール４と、この断層画像を表示するためのモニタ５と、このモニタ５に表示される断層画像の画面表示に関する種々の設定操作を行うためのキーボード６と、を含み構成されている。
【００２２】
操作卓３は、図２に示すように、天板１１を上下移動させるための操作レバーＡと、天板１１を前後移動させるための操作レバーＢと、天板１１を前後に所望スライス厚（一枚の断層像を再構成するために、任意に設定される断層像の厚さのこと。）毎に間欠的に移動させるための操作スイッチ３１、３２と、天板１１の移動速度を切換えるための速度切換えスイッチ３３等を有し構成されている。操作スイッチ３１、３２は、押しボタン式スイッチであり、天板１１を前後に所望スライス厚毎に移動させる場合に用いられる。医師や技師などが、この操作スイッチ３１、３２を一回押す毎に、天板１１が前後に所望スライス厚だけ移動するように構成されている。また、速度切換スイッチ３３は、押しボタン式スイッチであり、天板１１を連続的に移動させる際の天板移動速度（高速、低速等）を切換える場合に用いられる。この速度切換スイッチ３３を押す毎に、高速と低速が交互に切換わるように構成されている。
【００２３】
モニタ５は、カラーＣＲＴからなり、患者登録からスキャン操作、画像表示までの一連の操作を行うためのＧＵＩ（グラフィカル・ユーザ・インターフェイス）を画面表示する他、図３に示すような断層画像を表示する。
【００２４】
キーボード６は、図４に示すように、患者登録からスキャン操作、画像表示までの一連の操作を行うためのキー群６１及びボリューム群６２と、モニタ５に表示される断層画像のコントラストの調整を行うべく設定されるパラメータであるＷＷ（ウィンドウ・ウィドゥス）値と、ＷＬ（ウィンドウ・レベル）値とを各々設定するためのダイヤル６３、６４等を備えている。
【００２５】
（制御構成）
図５に、本実施形態におけるＸ線ＣＴ装置の制御構成を示す。図５に示すように、このような構成において、Ｘ線の曝射に先立ち、天板１１に載置される被検体の位置調整を行うべく、医師や技師などにより操作卓３の操作レバーＡ、操作レバーＢ、或いは、操作スイッチ３１、３２の操作が行われると、その操作信号が架台２内部に設けられた架台／寝台制御部２４へ送られる。操作信号を受けた架台／寝台制御部２４は、寝台１内部に設けられた天板駆動部１２に対し、天板１１を操作信号に応じた送り量だけ、操作信号に応じた方向へ移動させる旨の命令信号を送る。この命令信号を受けた天板駆動部１２は、天板１１を命令信号に応じた送り量だけ、命令信号に応じた方向に移動させる。
【００２６】
この際、架台／寝台制御部２４は、上述した制御を行うと共に、天板１１の現在位置をモニタ５の画面上に付帯情報として表示させる制御を行う。医師や技師などにより、操作レバーＢが操作されると、架台／寝台制御部２４は、コンソール４内に設けられた表示制御部４１に対し、天板１１の移動方向及び移動量の信号を送る。この信号を受けた表示制御部４１は、この信号を基にモニタ５の画面上に天板１１が前後どちらの方向にどれだけ移動したのかを表示する。
【００２７】
このようにして、天板１１に載置される被検体の位置調整が行われた後、Ｘ線の曝射を行うべく、医師や技師などによりキーボード６のキー群６１やボリューム群６２の操作が行われると、その操作信号が架台／寝台制御部２４へと送られる。
【００２８】
架台／寝台制御部２４は、上述した制御を行うと共に、Ｘ線管球２１によりＸ線曝射を行う制御を行う。具体的には、上述した操作信号を受けた架台／寝台制御部２４は、図示省略の高電圧発生装置に対し、Ｘ線管球２１に高電圧を印加する旨の命令信号を送る。この命令信号を受けた高電圧発生装置は、Ｘ線管球２１に対し、所定の高電圧を印加する。これにより、Ｘ線管球２１から天板１１に載置される被検体に向かってＸ線が曝射される。被検体を透過したＸ線は、Ｘ線検出器２２により検出され、その出力信号は、図示省略のデータ収集ユニットによって増幅されて、断層画像を生成するための画像信号に変換される。この画像信号は、架台／寝台制御部２４を経由し、コンソール４内に設けられた表示制御４１へ送られ、表示制御部４１は、その画像信号に基づく断層画像を再構成する。モニタ５は、その再構成された断層画像を画面表示する。
【００２９】
〔ダイヤルの構成〕
（機械構成）
図６（Ａ）、（Ｂ）に、ＷＷ（ウィンドウ・ウィドゥス）値を変更するためのダイヤル６３の構成を表す。尚、ダイヤル６４の機械的構成は、当該ダイヤル６３と同様であるため、以下での記載は省略する。図６（Ａ）、（Ｂ）に示すように、ダイヤル６３の操作面であって、その回転軸から外れた位置には、当該ダイヤル６３を回転操作する際に指先を当てるための凹部が形成された凹部材６３ａと、この凹部材６３ａを支持するベアリング６３ｂと、このベアリング６３ｂをキーボード６本体に対して回転可能に支持する軸受け６３ｃとが設けられる。
【００３０】
このような構成により、医師や技師などが凹部材６３ａの凹部に指先を当てて当該ダイヤル６３を回転させた場合には、凹部材６３ａが回転することで、指と凹部材６３ａとの間に生じる滑りが吸収されて、ダイヤル６３を回転させているうちに指先が凹部材６３の凹部からズレてしまうといったことを回避することができる。
【００３１】
（制御構成）
図７に、ダイヤル６３の周辺部における詳細な制御構成を表すブロック図を示す。図７に示すように、架台／寝台制御部２４から送られた画像信号は、表示制御部４１のインターフェース回路４１ａを介して画像メモリ部４１ｂに一旦格納される。制御部４１ｄは、この画像メモリ部４１ｂに格納された画像信号の濃度ヒストグラムを作成した上で、ルックアップテーブル部４１ｃにデフォルト値として設定されたＷＷ値、ＷＬ値に基づいてコントラスト調整を行った画像信号、具体的には、ＷＷ値、ＷＬ値が設定された領域内にある濃度値がモニタにおける表示階調、即ち、２５６階調に分割された画像信号を生成する。モニタ５のデジタルアナログ変換部５１は、その生成された画像信号をアナログ信号に変換して、ＣＲＴ５２は、そのアナログ信号に基づく画像、即ち、コントラスト調整を行った断層画像を画面表示する。
【００３２】
このような構成において、モニタ５のＣＲＴ５２に画面表示される断層画像のコントラスト調整を行うべく、医師や技師などがキーボード６のキー群６１の操作により、モニタ５のＣＲＴ５２に表示されるＧＵＩであるＲＯＩを読影したい部位（例えば、病巣部位）に配置し、さらに、その周囲の部位との明暗差を強調するためにＷＷ値の変更を行うべく、ダイヤル６３の凹部材６３ａに指先を当てて、これを回転操作した場合には、ダイヤル６３の回転軸に設けられた回転移動量／回転加速度検出部６３ｄによって、その回転方向、回転移動量及び回転加速度が検出される。
【００３３】
具体的には、回転移動量／回転加速度検出部６３ｄは、ロータリエンコーダ、タイマー及びＣＰＵからなり、ＣＰＵが、ロータリエンコーダにより検出されるパルスに基づいて、ダイヤル６３の回転方向を判断して、さらに、ロータリエンコーダにより検出されるパルス数と、タイマーにより検出されるパルスの検出時間とに基づいて、ダイヤル６３の回転移動量及び回転加速度を算出する。
【００３４】
回転移動量／回転加速度検出部６３ｄによって検出された検出信号は、表示制御部４１の制御部４１ｄへ送られる。制御部４１ｄは、ルックアップテーブル部４１ｃに設定されたルックアップテーブルを参照することで、検出された回転加速度に対応する乗数、より詳細には、図８に示すように、検出された回転加速度が属する、複数の加速度閾値（ＴＨｎ）による区分に応じた乗数（αｎ）を決定すると共に、この決定された乗数（αｎ）を用いて、以下に示す式によりＷＷ値の変更量を算出する。但し、αｎは、回転加速度の大きさが大きくなるにつれて非線形的（例えば、２次関数的）に増加していくように設定されるものとする（即ち、このような場合、図８に示すグラフの縦軸は、αｎの対数をとるものとする）。
【００３５】
【式１】
ＷＷ値の変更量＝αｎ・Ａ
（Ａ；基準となるＷＷ値の変更量）
【００３６】
このような調整制御を行うことにより、医師や技師などは、凹部材６３ａに指先を当てて素早くダイヤル６３を回転させた場合には、ダイヤル６３ａの加速度に応じて、ＷＷ値の変更量が算出されることになるので、少量の移動量を伴う回転操作によっても大きな幅をもった変更を行うことができ、ＷＷ値の大まかな調整を容易に行うことができる。
【００３７】
但し、表示制御部４１の制御部４１ｄは、回転移動量／回転加速度検出部６３ｄにより検出された加速度の大きさが所定値未満である場合には、回転移動量／回転加速度検出部６３ｄにより検出された移動量の大きさに応じてＷＷ値の変更量を算出するものとする。即ち、上述した式を準用して説明すれば、この場合のαｎは、検出された回転移動量が属する、複数の移動量閾値による区分に応じた乗数ということになる。但し、この場合のαｎは、移動量の大きさが大きくなるにつれて線形的（例えば、１次関数的）に増加していくように設定されるものとする。
【００３８】
このような調整制御を行うことにより、医師や技師などが凹部材６３ａに指先を当ててゆっくりダイヤル６３を回転させた場合には、ダイヤル６３ａの移動量に応じて、ＷＷ値の変更量が算出されることになるので、従来の場合と同様に、ＷＷ値の微調整を行うことができる。
【００３９】
因みに、上述した複数の加速度閾値や移動量閾値は、各々、単数が設けられても良い。
例えば、ＷＬ、ＷＷの調整範囲が以下の通りである場合に、
ＷＬ：−１５３６〜２０４８ポイント
ＷＷ：１〜３５８４ポイント
単に、ダイヤル６３の回転に関して、
（ａ）ゆっくり回転させた場合（回転加速度が所定値未満）⇒
約２０ポイントの変更量（全ての変更範囲をカバーするのに約４０回転必要）
（ｂ）素早く回転させた場合（回転加速度が所定値以上）⇒
約３００ポイントの変更量（全ての変更範囲をカバーするのに約１１回転必要）
と設定することのみによっても、医師や技師などは、従来の場合と同様にＷＷ値、ＷＬ値の微調整を行うことができると共に、その大まかな調整を容易に行うことができる。
【００４０】
表示制御部４１の制御部４１ｄは、このようにして算出されたＷＷ値の変更量に基づいて、ルックアップテーブル部４１ｃに設定された濃度ヒストグラムのＷＷ値を変更した後、その変更されたＷＷ値に基づいて、読影したい部位のコントラストを調整した画像信号、即ち、ＷＷ値によって規定された領域内にある濃度値がモニタ５のＣＲＴ５２における表示階調、即ち、２５６階調に分割された画像信号を生成する。モニタ５のデジタルアナログ変換部５１は、その調整された画像信号をアナログ信号に変換して、ＣＲＴ５２は、そのアナログ信号に基づく断層画像、即ち、読影したい部位のコントラストが調整された断層画像を画面表示する。
【００４１】
尚、本実施形態におけるＸ線ＣＴ装置では、キーボード６に設けられたダイヤル６３によって、ＷＷ値を調整する場合のみを例に採り、その説明を行ったが、ダイヤル６４によって、ＷＬ値を調整する場合にも、同様にその変更量の調整制御が行われるものとする。
【００４２】
また、本実施形態におけるＸ線ＣＴ装置では、キーボード６に設けられるダイヤル６３の凹部材６３ａは、ベアリング６３ｂと軸受け６３ｄにより回転自在な構成としたが、この凹部材６３ａを回転自在とする構成は、これに限定されるものではなく、他の形態を採ることも可能である。
【００４３】
また、本実施形態におけるＸ線ＣＴ装置では、回転移動量／回転加速度検出部６３ｄは、ロータリエンコーダ、タイマー及びＣＰＵにより構成されることとしたが、これに限定されるものではなく、ダイヤル６３の回転方向、回転移動量及び回転加速度を検出することができるものであれば、他の形態を採ることも可能である。
【００４４】
【発明の効果】
以上に説明したように、本発明である請求項１に係るＸ線ＣＴ装置によれば、断層画像の画面表示の制御を行うパラメータを変更するべくダイヤルを回転させている際に、その操作面に形成された凹みから指先が外れるといったことを回避することができるので、操作性が向上されて、医師や技師などの煩わしさやストレスを解消することができる。
【００４５】
さらに、本発明である請求項２乃至請求項３に係るＸ線ＣＴ装置によれば、ダイヤルの移動量に応じた調整を行うことができ、従来と同様に断層画像の画面表示の制御を行うパラメータの微調整を行うことができると共に、ダイヤルの加速度に応じて、少量の移動量を伴う回転操作によっても大きな幅をもった変更を行うことができ、断層画像の画面表示の制御を行うパラメータの大まかな調整を容易に行うことができる。
【００４６】
さらに、本発明である請求項４に係るＸ線ＣＴ装置によれば、断層画像の画面表示の制御を行うパラメータとして、そのコントラスト調整を行う際に設定する当該断層画像の濃度値の幅及びその中心値を規定するための値を変更することができる。
【図面の簡単な説明】
【図１】本発明に係るＸ線ＣＴ装置の一実施形態における全体構成を表す構成図である。
【図２】図１に示すＸ線ＣＴ装置の操作卓における構成を表す構成図である。
【図３】図１に示すＸ線ＣＴ装置のモニタに表示される断層画像の態様を表す説明図である。
【図４】図１に示すＸ線ＣＴ装置のキーボードにおける構成を表す構成図である。
【図５】図１に示すＸ線ＣＴ装置の制御構成を表すブロック図である。
【図６】図４に示すキーボードに設けられたダイヤルの構成を表す構成図である。
【図７】図６に示すダイヤル周辺部の制御構成を表すブロック図である。
【図８】図７に示す表示制御部のルックアップテーブル部において予め設定される加速度閾値と乗数の関係を表すグラフである。
【図９】濃度ヒストグラムの具体的態様を表すグラフである。
【符号の説明】
１  寝台
１１  天板
１２  天板駆動部
２  架台
２１  Ｘ線管球
２２  Ｘ線検出器
２３  Ｘ線駆動部
２４  架台／寝台制御部
３  操作卓
３１、３２  操作スイッチ
３３  速度切換えスイッチ
４  コンソール
４１  表示制御部
４１ａ  インターフェース回路
４１ｂ  画像メモリ
４１ｃ  ルックアップテーブル部
４１ｄ  制御部
５  モニタ
５１  デジタルアナログ変換器
５２  ＣＲＴ
６  キーボード
６１  キー群
６２  ボリューム群
６３、６４  ダイヤル
６３ａ  凹部材
６３ｂ  ベアリング
６３ｃ  軸受け
６３ｄ  回転移動量／回転加速度検出部
Ａ  操作レバー
Ｂ  操作レバー
【図１】
2005013576.tif 000003
【図２】
2005013576.tif 000004
【図３】
2005013576.tif 000005
【図４】
2005013576.tif 000006
【図５】
2005013576.tif 000007
【図６】
2005013576.tif 000008
【図７】
2005013576.tif 000009
【図８】
2005013576.tif 000010
【図９】
2005013576.tif 000011